(57)【要約】      （修正有）【課題】より利便性の高い撮像装置、及び撮像装置の制御方法を提供する。【解決手段】撮像装置は、撮像レンズの光軸方向を照準器によりユーザに視認させる照準器を動作させた状態において、撮像用画素が配列された撮像面に撮像レンズにより被写体像を結像させて取得した画像データ上の指定位置を取得しＳ２２、指定位置に基づいて、撮像面をシフトするＳ２５，或いは撮像面をトリミングするＳ２８ことにより、撮像レンズの撮像光軸上の被写体の画像データ上の位置を調整する。【選択図】図９
2016225799.tif 000002
【特許請求の範囲】
【請求項１】
撮像用画素が配列された撮像面に撮像レンズにより被写体像を結像させて画像データを取得する撮像部と、
前記画像データ上の指定位置を取得する指定位置取得部と、
前記撮像レンズの光軸方向をユーザに視認させる照準器と、
前記指定位置に基づいて、前記撮像レンズの撮像光軸上の被写体の前記画像データ上の位置を調整する制御部と、
を具備する撮像装置。
【請求項２】
画像の表示を行う表示パネルをさらに具備し、
前記指定位置取得部は、前記表示パネル上のタッチ位置を前記指定位置として検出し、
前記制御部は、前記タッチ位置に対応する前記画像データ上の位置に前記撮像レンズの光軸上の被写体を配置する請求項１に記載の撮像装置。
【請求項３】
前記撮像部は、前記撮像面の中の画像データを取得する範囲である有効撮像域をシフトさせるシフト部を具備し、
前記制御部は、前記タッチ位置と前記撮像レンズの撮像光軸との差分に応じて前記有効撮像域を前記シフト部によりシフトさせる請求項２に記載の撮像装置。
【請求項４】
前記撮像部は、前記撮像面をシフトさせるセンサシフト機構を具備し、
前記制御部は、前記センサシフト機構によって前記撮像面をシフトさせて前記有効撮像域をシフトさせる請求項３に記載の撮像装置。
【請求項５】
前記制御部は、前記撮像面上の前記タッチ位置に応じた位置に前記有効撮像域を移動させて前記有効撮像域をシフトさせる請求項３に記載の撮像装置。
【請求項６】
前記撮像部は、前記撮像面をシフトさせるセンサシフト機構を具備し、
前記制御部は、
前記タッチ位置が、前記センサシフト機構による前記撮像面のセンサシフト対応範囲内である場合、前記タッチ位置と前記撮像レンズの撮像光軸との差分に応じて前記センサシフト機構によって前記撮像面をシフトさせて前記有効撮像域をシフトさせ、
前記タッチ位置が、前記センサシフト機構による前記撮像面のセンサシフト対応範囲外である場合、前記撮像面上の前記タッチ位置に応じた位置に前記有効撮像域を移動させて前記有効撮像域をシフトさせる、
請求項３に記載の撮像装置。
【請求項７】
前記制御部は、前記タッチ位置に応じて前記画像データを切り出す請求項２に記載の撮像装置。
【請求項８】
前記撮像レンズは、焦点距離を可変可能なレンズであり、
前記制御部は、前記タッチ位置に応じて前記撮像レンズの焦点距離を広角側に変更し、前記タッチ位置と前記撮像レンズの撮像光軸との差分に応じて前記撮像面上で前記有効撮像域を前記シフト部により移動させる請求項３に記載の撮像装置。
【請求項９】
前記制御部は、前記タッチ位置に応じて前記撮像面をシフトさせ、且つ前記タッチ位置と前記撮像レンズの撮像光軸との差分に応じて前記撮像面上で前記有効撮像域を前記シフト部により移動させる請求項３に記載の撮像装置。
【請求項１０】
撮像用画素が配列された撮像面に撮像レンズにより被写体像を結像させて画像データを取得する撮像部と、前記画像データ上の指定位置を取得する指定位置取得部と、前記撮像レンズの光軸方向をユーザに視認させる照準器と、を具備する撮像装置の制御方法であって、
前記指定位置に基づいて、前記撮像レンズの撮像光軸上の被写体の前記画像データ上の位置を調整する撮像装置の制御方法。
【発明の詳細な説明】
【技術分野】
【０００１】
本発明は、撮像装置、及び撮像装置の制御方法に関する。
【背景技術】
【０００２】
撮像装置は、一般的に、光に基づいて画像を取得する撮像素子と、撮像素子に光を結像させるレンズなどの光学系と、光学系を透過した光が撮像素子に入射する時間を制御するシャッタと、撮像素子により撮像した画像を表示する表示装置と、を備える。撮像装置は、撮像素子により撮像した画像を表示装置に逐次表示するスルー画表示を行うことにより、ユーザに被写体を視認させることができる。さらに、撮像装置に装着可能であり、撮像範囲をユーザに視認させることができる照準器が実用化されている。
【先行技術文献】
【特許文献】
【０００３】
【特許文献１】特開２００９−２７６４６４号公報
【発明の概要】
【発明が解決しようとする課題】
【０００４】
上記のような照準器を備える撮像装置は、照準器の視野内に配置されたレティクル（指標）と被写体とを重ねることにより、光学系の撮像光軸を被写体に合わせることができる。即ち、照準器は、特定の方向のみを示す指標によって、撮影者が撮像装置により観察する向きを指標が示す特定方向に合わせる為の構成である。照準器は、特定方向と撮像装置の光軸とをに合わせることによって、ズーム操作で画角が変わっても変わらない光軸上を撮影者が撮像装置の撮像範囲として狙う為の構成である。なお、ここでは、光学ズームを前提に撮像光軸に合わせたが、トリミング範囲などに応用する場合は、必ずしも光軸と合わせる必要はない。いずれにせよ、指標で被写体を狙うと、同じような構図でしか撮影できなくなるという問題があった。特に、光軸に合わせた照準器によって被写体を捕捉する場合、撮像範囲が光軸中心である限り、被写体を撮像範囲の真ん中に配置することになり、撮影した時に構図が単調になるという課題がある。
【０００５】
本発明は、より利便性の高い撮像装置、及び撮像装置の制御方法を提供することを目的とする。
【課題を解決するための手段】
【０００６】
一実施形態に係る撮像装置は、撮像用画素が配列された撮像面に撮像レンズにより被写体像を結像させて画像データを取得する撮像部と、前記画像データ上の指定位置を取得する指定位置取得部と、前記撮像レンズの光軸方向をユーザに視認させる照準器と、前記指定位置に基づいて、前記撮像レンズの撮像光軸上の被写体の前記画像データ上の位置を調整する制御部と、を具備する。
【発明の効果】
【０００７】
より利便性の高い撮像装置、及び撮像装置の制御方法を提供することができる。
【図面の簡単な説明】
【０００８】
【図１】図１は、一実施形態に係る撮像装置の制御系の例について説明する為の図である。
【図２】図２は、一実施形態に係る撮像装置の使用例について説明する為の図である。
【図３】図３は、一実施形態に係る撮像装置におけるタッチ位置の例について説明する為の図である。
【図４】図４は、一実施形態に係る撮像装置によるセンサシフトの動作の例について説明する為の図である。
【図５】図５は、一実施形態に係る撮像装置におけるタッチ位置の例について説明する為の図である。
【図６】図６は、一実施形態に係る撮像装置によるトリミングの例について説明する為の図である。
【図７】図７は、一実施形態に係る撮像装置によるトリミングの例について説明する為の図である。
【図８】図８は、一実施形態に係る撮像装置の動作の例について説明する為の図である。
【図９】図９は、一実施形態に係る撮像装置の動作の例について説明する為の図である。
【図１０】図１０は、一実施形態に係る撮像装置によるトリミングの例について説明する為の図である。
【図１１】図１１は、一実施形態に係る撮像装置の動作の例について説明する為の図である。
【発明を実施するための形態】
【０００９】
以下、図を参照しながら、一実施形態に係る撮像装置、及び撮像装置の制御方法について詳細に説明する。
【００１０】
撮像装置１は、照準器によって被写体を捕捉しても、当該被写体を画像中心に限らずタッチパネル上のタッチした位置に配置して写真を撮影することができる。図１に示すように、撮像装置１は、レンズ１０、シャッタユニット１１、撮像素子１２、信号処理部１３、画像処理部１４、操作部１５、表示部１６、メモリＩ／Ｆ１７、加速度センサ１８、照準器１９、及び主制御部２０を備える。
【００１１】
レンズ１０は、透過した光を撮像素子１２に結像させる。レンズ１０は、複数のレンズが組み合わされた撮像レンズと、絞り機構と、撮像レンズ及び絞り機構の動作を制御するレンズ制御部と、フォーカスリングと、ズームリングと、を備える。
【００１２】
撮像レンズは、被写体からの光線を、撮像素子１２の撮像面上に結像させる。撮像レンズは、合焦用のレンズ（フォーカスレンズ）、焦点距離を変更する為のレンズ（バリエータレンズ及びコンペンセータレンズ）、及びリレーレンズなどの種々のレンズを備える。撮像レンズは、レンズ制御部の制御またはフォーカスリングの操作に基づいてフォーカスレンズを撮像レンズの光軸方向に移動させることによって被写体像を撮像素子１２の撮像面上に結像させる。また、撮像レンズは、レンズ制御部の制御またはズームリングの操作に基づいてバリエータレンズ及びコンペンセータレンズを撮像レンズの光軸方向に移動させることによって焦点距離を変更する。これによって、レンズ１０は、画角、即ち撮像範囲を変更することができる。
【００１３】
絞り機構は、開閉自在に構成され、撮像レンズを介して撮像素子１２に入射する光線の量をレンズ制御部の制御に基づいて調整する。
【００１４】
レンズ制御部は、主制御部２０と通信可能に構成される。レンズ制御部は、主制御部２０からの入力、フォーカスリングの操作、及びズームリングの操作に従って、フォーカスレンズの駆動、バリエータレンズ及びコンペンセータレンズの駆動、及び絞り機構の駆動をそれぞれ制御する。また、レンズ制御部は、バリエータレンズ及びコンペンセータレンズの位置を検出することにより撮像レンズの焦点距離を検出することができる。レンズ制御部は、検出した撮像レンズの焦点距離を主制御部２０に入力する。
【００１５】
シャッタユニット１１は、レンズ１０を透過して撮像素子１２に入射する光の光量を調整する機構である。シャッタユニット１１は、例えばフォーカルプレーンシャッタである。
【００１６】
撮像素子１２は、レンズ１０の後部、即ち撮像装置１の筐体の内部側に設けられる。撮像素子１２は、光を光電変換し電荷を蓄える撮像用画素が複数配列されて構成された撮像面を備える。各撮像用画素の光が入射する面には、カラーフィルタが設けられている。撮像素子１２は、例えば、Charge Coupled Devices（ＣＣＤ）イメージセンサ、Complementary Metal Oxide Semiconductor（ＣＭＯＳ）イメージセンサ、または他の撮像素子により構成される。撮像素子１２は、レンズ１０を介して集光されて撮像面に結像された被写体像を光量に応じた電気信号（輝度信号）に変換することにより、画像信号を生成する。なお、レンズ１０の撮像レンズの焦点距離が変更された場合に撮像レンズの光軸を中心として像が拡大または縮小される為、撮像素子１２は、例えば、レンズ１０の撮像レンズの撮像光軸と、撮像面の中心とが重なる位置に配置される。
【００１７】
さらに、撮像素子１２には、撮像面上に複数のＡＦエリアが構成されている。ＡＦエリアには、複数の撮像用画素と、複数の第１の合焦用画素と、複数の第２の合焦用画素とが配列されている。第１の合焦用画素と、第２の合焦用画素とは、入射領域が異なる位置で制限されている。第１の合焦用画素及び第２の合焦用画素は、撮像用画素と同様に入射した光を光電変換し電荷を蓄える。撮像素子１２の撮像面は、例えば複数の撮像用画素が二次元状に配列されて構成される。なお、二次元状と記載しているが、これは必ずしも、深さ方向に感度を持つ撮像素子やランダム画素配置の撮像素子を除いた概念ではなく、すくなくとも平面上に並んだ画素を有するものであれば、これらを含むものである。また、近年、収差対策に撮像面を湾曲させた湾曲型のセンサも発表されているが、これも二次元的な配列部分は含まれているので、広義には二次元と言えるものとして記載した。
【００１８】
また、撮像素子１２は、撮像面の中の輝度信号を生成する範囲である有効撮像域をシフトさせるシフト部を備える。シフト部は、例えば、撮像面を物理的にシフトまたは回転させるセンサシフト機構である。センサシフト機構は、駆動することにより撮像素子１２の撮像面を撮像面と平行な方向にシフトさせる。また、センサシフト機構は、撮像素子１２の撮像面を撮像装置１のレンズ１０及び筐体のピッチ、ヨー、及びロールなどの方向に回転させる。また、撮像面は、通常有効撮像域に対して大きく構成されている。この場合、シフト部は、有効撮像域を撮像面内で移動させることにより有効撮像域をシフトさせる構成であっても、上記のセンサシフト機構と同等の効果を得ることができる。また、撮像素子１２は、撮像素子１２は、主制御部２０の制御に基づいて、有効撮像域を縮小する構成であってもよい。例えば、撮像素子１２は、撮像面の中心と有効撮像域とを重ねたまま撮像面に対して有効撮像域を小さく設定することにより、撮像レンズの焦点距離を変えることなく画角を狭める電子ズームを行うことができる。また、撮像素子１２は、主制御部２０の制御に基づいて、撮像面よりも小さな有効撮像域を撮像面上の任意の位置に設定することにより、撮像レンズによるイメージサークル内の任意の像を有効撮像域で切り出すトリミングを行うことができる。
【００１９】
信号処理部１３は、撮像素子１２によって生成された画像信号を主制御部２０の制御に基づいて読み出す。信号処理部１３は、読み出した画像信号に対して主制御部２０の制御に基づいて種々の信号処理を施す。信号処理部１３は、信号処理を施した画像信号をディジタル信号の画像データに変換し、主制御部２０に入力する。
【００２０】
上記のように、レンズ１０、撮像素子１２、及び信号処理部１３が撮像部を構成する。撮像部は、レンズ１０により撮像面に結像された光を撮像素子１２が撮像することによって画像データを取得する。撮像部は、上記の撮像動作によって静止画としての画像データを取得する。また、撮像部は、撮像動作が行われていない際にスルー画として表示する為の画像データを連続的に取得する。例えば、撮像部は、撮像素子１２により撮像された画像信号を主制御部２０の制御に基づく周期で信号処理部１３により読み出すことにより、スルー画として表示可能な連続した画像データを取得することができる。
【００２１】
画像処理部１４は、主制御部２０の制御に基づいて画像データに対して色補正、ガンマ(γ)補正、コントラスト補正、白黒・カラーモード処理、及びスルー画処理などの各種の画像処理を行う。また、画像処理部１４は、主制御部２０の制御に基づいて画像データをＪｐｅｇ方式で圧縮してＪｐｅｇ方式の画像データであるＪｐｅｇデータに変換する。画像処理部１４は、Ｊｐｅｇデータを主制御部２０に入力する。
【００２２】
操作部１５は、ユーザが撮像装置１の各種の操作を行うための複数の操作部材を備える。操作部材は、例えば、タッチセンサ１５ａ、レリーズボタン、十字ボタン及び他の種々のボタン等を含む。タッチセンサ１５ａは、例えば、抵抗膜式タッチセンサ、または静電容量式タッチセンサ等である。即ち、タッチセンサ１５ａは、ある領域内において指定された位置を示す情報を取得する指定位置取得部である。タッチセンサ１５ａは、後述する表示部１６の表示パネル３１と一体に設けられ、表示パネル３１上のタッチされた位置（タッチ位置）を示す信号（タッチ位置信号）を検出し、検出したタッチ位置信号を主制御部２０に入力する。
【００２３】
レリーズボタンは、ユーザが撮像装置１に対して静止画を撮像する為の撮像動作及び撮像補助制御を指示するための操作部材である。操作部１５は、レリーズボタンが半押しされた場合に自動露出（ＡＥ）処理及び自動合焦（ＡＦ）処理などの撮像補助制御の指示を主制御部２０に対して与える。また、操作部１５は、レリーズボタンが全押しされた場合に静止画を撮像する撮像動作の指示を主制御部２０に対して与える。
【００２４】
十字ボタンは、ユーザが撮像装置１に対して上下左右の選択動作を指示するための操作部材である。例えば、操作部１５は、ユーザによる十字ボタンの操作に応じてメニュー内での上下左右の選択動作の指示を主制御部２０に対して与える。
【００２５】
表示部１６は、主制御部２０から入力された画像データに基づいて画面を表示する。表示部１６は、表示装置と、画像データに基づいて表示装置に画面を表示させる駆動回路と、を備える。表示部１６は、例えば表示パネル３１、及び電子ビューファインダー（ＥＶＦ）３２を表示装置として備える。
【００２６】
表示パネル３１は、例えば液晶ディスプレイ、有機ＥＬディスプレイ、または他の画面を表示する為の表示装置である。表示パネル３１は、上述したタッチセンサ１５ａが一体に組み合わされてタッチパネル（タッチスクリーン）として機能する。
【００２７】
ＥＶＦ３２は、例えば、液晶ディスプレイまたは有機ＥＬディスプレイなどの表示装置と、接眼光学系と、を備える。
【００２８】
また、表示部１６は、ＥＶＦ３２をユーザが覗いているか否かを検出するアイセンサ３３を備える。表示部１６は、アイセンサ３３によりユーザがＥＶＦ３２を覗いていることが検出された場合、表示パネル３１の表示をオフにし、ＥＶＦ３２により表示を行わせる。また、表示部１６は、アイセンサ３３によりユーザがＥＶＦ３２を覗いていることが検出されなかった場合、ＥＶＦ３２の表示をオフにし、表示パネル３１により表示を行わせる。
【００２９】
メモリＩ／Ｆ１７は、複数の接触端子を備える記録媒体Ｍを挿入可能なカードスロットと、記録媒体Ｍがカードスロットに挿入された場合に記録媒体Ｍの接触端子と電気的に接続される接触端子と、を備える。記録媒体Ｍは、例えばメモリカードである。メモリＩ／Ｆ１７は、メモリＩ／Ｆ１７は、記録媒体Ｍと主制御部２０との間でのデータの入出力を中継する。
【００３０】
加速度センサ１８は、撮像装置１の筐体の加速度の変化を検出することにより、撮像装置１の筐体の傾きを検出する。また、加速度センサ１８は、撮像装置１の筐体の加速度の変化を検出することにより、撮像装置１のレンズ１０及び筐体のピッチ、ヨー、ロール、シフトなどの種々の方向のブレを検出する。
【００３１】
照準器１９は、レンズ１０の撮像レンズの光軸をユーザに視認させる為の部品である。照準器１９は、例えば、透過性を有する窓部と、窓部にレティクルを投影する光源部とを備える。光源部は、窓部の面に対して所定の角度を成す光軸（照準器光軸）上で視認可能な状態で窓部の所定の位置（例えば中央）にレティクルを投影する。照準器１９は、照準器光軸が撮像レンズの撮像光軸と予め設定された距離で交差するように撮像装置１に設けられている。例えば、照準器１９は、照準器光軸が撮像レンズの撮像光軸と無限遠で交差するように撮像装置１に設けられている。なお、無限遠では、照準器と撮像レンズとの位置差をほぼ無視することができる為、撮影光軸と照準器光軸とは、略同じ方向になる。このような構成によると、図２に示されるように、無限遠に存在する被写体に照準器光軸を合わせることにより、撮像光軸を被写体に合わせることができる。これにより、照準器１９は、例えば撮像レンズの焦点距離が望遠域などの画角が極狭い状態であっても、容易に撮像レンズの光軸をユーザに認識させることができる。
【００３２】
主制御部２０は、撮像装置１の各部の動作を制御する。主制御部２０は、例えばＣＰＵとメモリとを備える。主制御部２０は、例えばＣＰＵがメモリに記憶されているプログラムを読み出して実行することによって種々の機能を実現する。例えば、主制御部２０は、操作判定部４１、撮像制御部４２、記録制御部４３、表示制御部４４、照準器制御部４５、センサシフト部４６、トリミング部４７、画角制御部４８、及びフレーミング制御部４９として機能する。
【００３３】
操作判定部４１は、操作部１５により入力された操作の判定を行う。即ち、操作判定部４１は、操作部１５によりどのような操作が指示されたかを認識する。また、操作判定部４１は、操作部１５のタッチセンサ１５ａから入力されたタッチ位置信号に基づいて、表示パネル３１のどの位置がタッチされたかを認識する。
【００３４】
撮像制御部４２は、撮像動作を指示する操作が入力された場合、各部を制御して撮像動作を実行する。例えば、撮像制御部４２は、撮像動作を指示する操作が入力された場合、レンズ１０に制御信号を入力して絞り機構を駆動させ、シャッタユニット１１を駆動させて、静止画を撮像する撮像動作を実行する。
【００３５】
また、撮像制御部４２は、撮像動作を実行する前に撮像補助制御を実行する。撮像補助制御は、例えば、ＡＦ処理及びＡＥ処理などの処理である。撮像制御部４２は、撮像素子１２により撮像された画像データに基づいて撮像補助制御を行う。撮像制御部４２は、撮像補助制御の結果を用いて撮像動作を行う。
【００３６】
また、撮像制御部４２は、撮像部によるスルー画として表示可能な画像データの取得を制御する。例えば、撮像制御部４２は、撮像素子１２により生成された画像信号を予め設定された周期で読み出すように信号処理部１３を制御する。
【００３７】
また、撮像制御部４２は、例えば、ＡＦ制御部、露出制御部、ホワイトバランス（ＷＢ）制御部、及び他の種々の処理部を備える。
【００３８】
ＡＦ制御部は、ＡＦ処理を制御する。例えば、ＡＦ制御部は、撮像素子１２から出力される画像データに基づいてレンズ１０のフォーカスレンズを駆動する為の制御信号を生成し、生成した制御信号をレンズ制御部に入力する。具体的には、ＡＦ制御部は、撮像素子１２の撮像面上の任意のＡＦエリアで得られた画像データに基づいてコントラストＡＦ処理、位相差ＡＦ処理、または他のＡＦ処理を行うことによりレンズ１０のフォーカスレンズを駆動する為の制御信号を生成する。
【００３９】
露出制御部は、露出条件を制御する。例えば、露出制御部は、撮影時のレンズ１０の絞り機構の開口量（絞り値）、シャッタユニット１１の開放時間（シャッタ速度）、及び撮像素子１２の感度（ＩＳＯ感度）等の露出条件を制御する。例えば、露出制御部は、操作部１５の操作に基づいて絞り値、シャッタ速度、及びＩＳＯ感度等の露出条件を設定する。
【００４０】
また、露出制御部は、撮像素子１２から出力される画像データに基づいて露出制御のための演算処理を行なう。露出制御部は、例えば、撮像素子１２から出力される画像データに基づいて被写体輝度を算出する。露出制御部は、操作部１５の操作によって露出値を設定し、被写体輝度が設定された露出値になるように、撮影時の絞り値、シャッタ速度、及びＩＳＯ感度等の露出条件を設定するＡＥ処理を行う。例えば、露出制御部は、撮像素子１２から出力される画像データのうちの一部の領域（ＡＥエリア）に基づいて被写体輝度を算出し、ＡＥ処理を行う。また、例えば、露出制御部は、複数のＡＥエリア毎に被写体輝度を算出し、複数の被写体輝度を統合してＡＥ処理を行う構成であってもよい。
【００４１】
ＷＢ制御部は、撮像素子１２から出力される画像データに基づいてホワイトバランスを制御するための演算処理を行う。ＷＢ制御部は、演算処理の結果を用いて撮像素子１２のＲＧＢの各画素のゲインを制御する。
【００４２】
記録制御部４３は、静止画及び動画を一時的に記録する中間バッファを備える。記録制御部４３は、撮像動作によって取得した静止画、及び動画等を中間バッファに逐次記録する。記録制御部４３は、中間バッファに記録されている静止画及び動画等をファイル化し、メモリＩ／Ｆ１７に装着されている記録媒体Ｍに書き込む。静止画ファイルは、静止画の画像データに所定のヘッダが付与されたファイルである。ヘッダには、例えば、露出条件を示すデータ等がタグデータとして記録される。
【００４３】
表示制御部４４は、表示部１６による表示処理を制御する。例えば、表示制御部４４は、表示部１６に画像データを入力することにより表示部１６の表示装置に画面を表示させる。例えば、表示制御部４４は、撮像動作によって取得した画像データを表示部１６に入力することにより、表示部１６に静止画の表示を行わせる。また、表示制御部４４は、撮像部により連続して取得した画像データを表示部１６に入力することにより、表示部１６にスルー画表示を行わせる。
【００４４】
さらに、表示制御部４４は、各種の設定情報及び撮像装置１の状態などに基づいて種々のアイコン及び文字などの表示を含むオンスクリーンディスプレイ（ＯＳＤ）表示を表示部１６に表示させるためのＯＳＤデータを生成する。例えば、表示制御部４４は、撮像装置１の撮影モード、各種の設定情報、バッテリー残量、撮影可能枚数及び撮影可能時間、並びにＡＦエリアなどを表示部１６の表示装置に表示させるためのＯＳＤデータを生成する。表示制御部４４は、ＯＳＤデータに基づくＯＳＤ表示を重畳させた画像データを表示部１６に入力する。
【００４５】
照準器制御部４５は、照準器１９の動作を制御する。例えば、照準器制御部４５は、照準器１９の光源部による発光を制御する。これにより、照準器制御部４５は、照準器１９を動作させる状態と動作させない状態とを切り替える。
【００４６】
センサシフト部４６は、撮像素子１２の撮像面上の有効撮像域を撮像面と平行な方向にシフトさせる。例えば、センサシフト部４６は、センサシフト機構を駆動することにより、有効撮像域を撮像面と平行な方向にシフトさせる。また、例えば、センサシフト部４６は、輝度信号を読み出す領域をシフトさせることにより、有効撮像域を撮像面と平行な方向にシフトさせる。またさらに、センサシフト部４６は、撮像素子１２のセンサシフト機構を駆動することにより、撮像素子１２の撮像面をピッチ、ヨー、及びロールなどの方向に回転させる。例えば、センサシフト部４６は、加速度センサ１８により検出された撮像装置１のレンズ１０及び筐体のピッチ、ヨー、ロール、シフトなどの種々の方向のブレをキャンセルするように撮像素子１２の撮像面を動作させる。また、センサシフト部４６は、撮像素子１２の撮像面を撮像面と平行な方向にシフトさせることにより、撮像面上の被写体が結像される位置をずらすことができる。
【００４７】
トリミング部４７は、撮像部により画像を取得する範囲である有効撮像域を制御するトリミングを行う。例えば、トリミング部４７は、フレーミング制御部４９の制御に基づいて設定された範囲（トリミング範囲）に基づいて、撮像素子１２の撮像面上の有効撮像域を制御する。具体的には、トリミング部４７は、撮像素子１２の撮像面のトリミング範囲内の画素を用いて画像データを取得するように撮像素子１２及び信号処理部１３を制御する。
【００４８】
画角制御部４８は、レンズ１０のレンズ制御部からの入力に基づいて、撮像レンズの焦点距離を認識し、認識した焦点距離に応じた制御を行う。また、画角制御部４８は、操作部１５の操作、またはフレーミング制御部４９の制御に基づいてレンズ１０の撮像レンズの焦点距離を変更する為の制御信号を生成し、生成した制御信号をレンズ１０のレンズ制御部に入力する。
【００４９】
フレーミング制御部４９は、タッチセンサ１５ａによるタッチ操作に基づいて、取得する画像の構図を制御する。即ち、フレーミング制御部４９は、タッチセンサ１５ａから入力される指定位置に基づいて、撮像レンズの撮像光軸上の被写体の画像データ上での位置を調整する。上記のように照準器１９は、照準器光軸が撮像光軸と予め設定された距離で交差するように撮像装置１に設けられている。この為、ユーザが照準器１９を用いて被写体を追う場合、被写体が撮像光軸上に配置される可能性が高い。また、撮像光軸が撮像素子１２の撮像面の中央に配置されるようにレンズ１０及び撮像素子１２が配置されている為、被写体が画像の中央の撮像光軸上に配置される可能性が高い。そこで、例えば、フレーミング制御部４９は、表示パネル３１上のタッチされた位置に主要な被写体が配置されるように構図を制御する。
【００５０】
例えば、フレーミング制御部４９は、タッチセンサ１５ａによるタッチ操作に基づいて、撮像素子１２の撮像面をシフトさせるようにセンサシフト部４６を制御することにより、取得する画像の構図を制御する。より具体的には、フレーミング制御部４９は、表示パネル３１上のタッチされた位置に撮像レンズの光軸（撮像光軸）が配置されるように撮像素子１２の撮像面をシフトさせる。
【００５１】
図３乃至図４は、フレーミング制御部４９の動作について説明する為の説明図である。図３に示すように、撮像素子１２の撮像面がシフトしていない状態で取得された画像である画像データをＸ軸とＹ軸とからなる二次元空間上に配置することができる。なお、二次元空間上の各座標は、例えば画像データの各画素に対応している。この為、画像データの横軸の画素数をＸｓとした場合、画像データのＸ軸方向の端部は、「０」と「Ｘｓ」とに配置される。また、画像データの縦軸の画素数をＹｓとした場合、画像データのＹ軸方向の端部は、「０」と「Ｙｓ」とに配置される。また、撮像光軸は、画像データの中央、即ち、座標（Ｘｓ／２，Ｙｓ／２）に対応する。
【００５２】
ここで、例えば表示パネル３１がタッチされた場合、フレーミング制御部４９は、図３に示すタッチ位置信号に基づいて画像データ上のタッチ位置の座標（Ｘｔ，Ｙｔ）を特定する。フレーミング制御部４９は、タッチ位置の座標（Ｘｔ，Ｙｔ）に撮像光軸を配置する為に必要な撮像面のシフト量を算出する。即ち、フレーミング制御部４９は、タッチ位置と撮像レンズの撮像光軸との差分に応じて撮像素子１２の撮像面をシフトさせる。具体的には、フレーミング制御部４９は、タッチ位置の座標と、センサ及び画素のサイズと、に基づいて、Ｘ軸方向に（Ｘｓ／２）−Ｘｔ、Ｙ軸方向に（Ｙｓ／２）−Ｙｔだけ画像上での座標がシフトする為の撮像面のシフト量を算出する。フレーミング制御部４９は、算出したシフト量をセンサシフト部４６に入力することにより、センサシフト部４６により有効撮像域をシフトさせる。
【００５３】
主制御部２０は、このように撮像面をシフトさせた状態で画像を取得することにより、タッチ位置の座標（Ｘｔ，Ｙｔ）に撮像光軸を配置することができる。これにより、主制御部２０は、撮像軸上の被写体がタッチ位置に配置された画像データを取得することができる。これにより、主制御部２０は、撮像軸上の被写体がタッチ位置に配置された画像データを静止画として記録媒体Ｍに記録することまたはスルー画として表示部１６により表示させることなどができる。
【００５４】
なお、撮像面のシフト量には上限がある。この為、フレーミング制御部４９は、タッチ位置が撮像面のシフト量の上限に応じたセンサシフト対応範囲内である場合に上記のように撮像面をシフトさせることにより構図を制御する。また、タッチ位置が撮像面のシフト量の上限に応じたセンサシフト対応範囲外である場合、フレーミング制御部４９は、トリミングにより構図を制御する。
【００５５】
例えば、フレーミング制御部４９は、タッチセンサ１５ａによるタッチ操作に基づいて、撮像素子１２の撮像面上のトリミング範囲を設定することにより、画像の構図を制御することもできる。より具体的には、フレーミング制御部４９は、表示パネル３１上のタッチされた位置に撮像レンズの光軸（撮像光軸）が配置されるようにトリミング範囲を設定する。なお、ここでは、特定の画角において、画面の特定位置を指定したが、ズーミング時に、それを維持するような処理を入れても良いし、ズーム操作でその指定が解除されるような応用を行ってもよい。センサを物理的に動かす場合とセンサの有効範囲を動かす場合を適宜切り換えてもよい。
【００５６】
図５乃至図６は、フレーミング制御部４９の動作について説明する為の説明図である。図５に示すように、撮像素子１２の撮像面がシフトしていない状態で取得された画像である画像データをＸ軸とＹ軸とからなる二次元空間上に配置することができる。ここで、例えば表示パネル３１がタッチされた場合、フレーミング制御部４９は、タッチ位置信号に基づいて画像データ上のタッチ位置の座標（Ｘｔ，Ｙｔ）を特定する。フレーミング制御部４９は、タッチ位置の座標（Ｘｔ，Ｙｔ）に撮像光軸を配置する為のトリミング範囲を算出する。
【００５７】
フレーミング制御部４９は、トリミング範囲のＸ軸方向の長さＸｄと、トリミング範囲のＹ軸方向の長さをＹｄとを算出する。フレーミング制御部４９は、トリミング範囲内のタッチ位置に対応した点である被写体配置点の座標（Ｘｄｔ，Ｙｄｔ）と撮像光軸の座標（Ｘｓ／２，Ｙｓ／２）とが重なるようにトリミング範囲を設定する。
【００５８】
以下トリミング範囲の算出方法について具体的に説明する。画像データのＸ軸方向のサイズＸｓに対するタッチ位置Ｘｔの比率と、トリミング範囲のＸ軸方向のサイズＸｄに対する被写体配置点Ｘｄｔの比率とが等しい為、  
Ｘｔ／Ｘｓ＝Ｘｄｔ／Ｘｄ  ・・・（数式１）  
が成り立つ。
【００５９】
被写体配置点と撮像光軸とが重なるようにトリミング範囲が設定される為、
Ｘｄｔ＝Ｘｓ／２  ・・・（数式２）
が成り立つ。
【００６０】
数式１と数式２とより、
Ｘｄ＝Ｘｓ２／（２・Ｘｔ）  ・・・（数式３）
が成り立つ。
【００６１】
フレーミング制御部４９は、画像データのＸ軸方向のサイズＸｓと、タッチ位置Ｘｔと、に基づいて、数式３によりトリミング範囲のＸ軸方向のサイズＸｄを算出する。なお、トリミング範囲のＹ軸方向のサイズＹｄについても数式１乃至３と同様の方法により算出することができる為、詳細な説明を省略する。
【００６２】
フレーミング制御部４９は、Ｘ軸方向のサイズがＸｄであり、Ｙ軸方向のサイズがＹｄであるトリミング範囲を撮像素子１２の撮像面上に設定する。フレーミング制御部４９は、トリミング範囲内での被写体配置点の座標（Ｘｄｔ，Ｙｄｔ）と、撮像光軸に対応する座標（Ｘｓ／２，Ｙｓ／２）とが重なる位置にトリミング範囲を設定する。
【００６３】
なお、図７に示されるように、画像データを対角線を用いて４つの領域に分割する。タッチ位置の座標（Ｘｔ，Ｙｔ）が第１の領域内である場合、フレーミング制御部４９は、画像データの辺ＡＤにトリミング範囲の１辺を重ねてトリミング範囲を設定する。タッチ位置の座標（Ｘｔ，Ｙｔ）が第２の領域内である場合、フレーミング制御部４９は、画像データの辺ＢＣにトリミング範囲の１辺を重ねてトリミング範囲を設定する。タッチ位置の座標（Ｘｔ，Ｙｔ）が第３の領域内である場合、フレーミング制御部４９は、画像データの辺ＡＢにトリミング範囲の１辺を重ねてトリミング範囲を設定する。タッチ位置の座標（Ｘｔ，Ｙｔ）が第４の領域内である場合、フレーミング制御部４９は、画像データの辺ＤＣにトリミング範囲の１辺を重ねてトリミング範囲を設定する。
【００６４】
主制御部２０は、上記の方法によりフレーミング制御部４９により撮像素子１２の撮像面上にトリミング範囲を設定し、上記のトリミング範囲内で画像を取得するように撮像素子１２を制御することにより、タッチ位置に対応した被写体配置点の座標（Ｘｄｔ，Ｙｄｔ）に撮像光軸を配置することができる。これにより、主制御部２０は、撮像光軸上の被写体がタッチ位置に対応した被写体配置点に配置された画像データを取得することができる。これにより、主制御部２０は、撮像光軸上の被写体がタッチ位置に配置された画像データを静止画として記録媒体Ｍに記録すること、またはスルー画として表示部１６により表示させることなどができる。
【００６５】
次に図８乃至図９を用いて一実施形態に係る撮像装置１の動作について詳細に説明する。
【００６６】
撮像装置１が撮像待機状態である場合、主制御部２０は、照準器１９が動作中であるか否か判定する（ステップＳ１１）。照準器１９が動作中ではない場合（ステップＳ１１、ＮＯ）、主制御部２０は、撮像素子１２により画像データを撮像する（ステップＳ１２）。この場合、主制御部２０は、シャッタユニット１１を動作させずにスルー画として用いる為の画像データを撮像する。主制御部２０は、表示部１６に画像データを入力することにより、表示部１６の表示装置に画像データをスルー画として表示させる（ステップＳ１３）。
【００６７】
主制御部２０は、操作部１５のレリーズボタンが全押しされた否か判断する（ステップＳ１４）。即ち、主制御部２０は、撮像動作を指示する操作が操作部１５により入力されたか否か判断する。主制御部２０は、ステップＳ１４で操作部１５のレリーズボタンが全半押しされていないと判断した場合（ステップＳ１４、ＮＯ）、ステップＳ１７の処理に移る。また、操作部１５のレリーズボタンが全半押しされたと判断した場合（ステップＳ１４、ＹＥＳ）、主制御部２０は、スルー画表示を停止させ、撮像動作を実行する（ステップＳ１５）。この場合、主制御部２０は、シャッタユニット１１を動作させ、撮像素子１２により静止画としての画像データを取得する。主制御部２０は、画像データを静止画としてファイル化して記録媒体Ｍに記録する（ステップＳ１６）。
【００６８】
主制御部２０は、電源をＯＦＦするか否か判断する（ステップＳ１７）。即ち、主制御部２０は、例えば、操作部１５の電源ボタンなどが操作され、電源をＯＦＦする指示が操作部１５により入力されたか否か判断する。電源をＯＦＦすると判断した場合（ステップＳ１７、ＹＥＳ）、主制御部２０は、撮像装置１の電源をＯＦＦし処理を終了する。また、電源をＯＦＦしないと判断した場合（ステップＳ１７、ＮＯ）、主制御部２０は、ステップＳ１１の処理に戻る。
【００６９】
主制御部２０は、ステップＳ１１で照準器１９が動作中であると判断した場合（ステップＳ１１、ＹＥＳ）、表示パネル３１に対するタッチ操作の有無を判断する（ステップＳ２１）。主制御部２０は、表示パネル３１に対するタッチ操作が無いと判断した場合（ステップＳ２１、ＮＯ）、図８のステップＳ１２の処理に移る。
【００７０】
ステップＳ２１で表示パネル３１に対するタッチ操作が有ると判断した場合（ステップＳ２１、ＹＥＳ）、主制御部２０は、タッチ位置信号に基づいてタッチ位置（Ｘｔ，Ｙｔ）を特定する（ステップＳ２２）。
【００７１】
主制御部２０は、タッチ位置が撮像面のシフト量の上限に応じたセンサシフト対応範囲内であるか否か判断する（ステップＳ２３）。タッチ位置がセンサシフト対応範囲内であると判断した場合（ステップＳ２３、ＹＥＳ）、主制御部２０は、タッチ位置と撮像光軸とが重なる為の撮像素子１２の撮像面のシフト量を算出する（ステップＳ２４）。主制御部２０は、算出したシフト量に応じて撮像素子１２の撮像面をシフトさせ（ステップＳ２５）、ステップＳ１２の処理に移る。
【００７２】
また、ステップＳ２３でタッチ位置がセンサシフト対応範囲外であると判断した場合（ステップＳ２３、ＮＯ）、主制御部２０は、トリミング範囲のサイズを算出する（ステップＳ２６）。即ち、主制御部２０は、タッチ位置に基づいて、トリミング範囲のＸ軸方向及びＹ軸方向の長さを算出する。
【００７３】
主制御部２０は、タッチ位置に対応したトリミング範囲内の点である被写体配置点に撮像光軸が重なるようにトリミング範囲を設定する（ステップＳ２７）。主制御部２０は、撮像素子１２の撮像面上の画像を取得する範囲を設定したトリミング範囲に基づいてトリミングし（ステップＳ２８）、ステップＳ１２の処理に移る。
【００７４】
このように、主制御部２０は、タッチ位置（指定位置）に基づいて、撮像レンズの撮像光軸上の被写体の画像データ上の位置を調整することにより、照準器によって被写体を捕捉する場合であっても、構図が単調になることを防ぐことができる。
【００７５】
例えば、主制御部２０は、タッチ位置と撮像光軸とが重なるように撮像面をシフトさせた状態で画像データを取得する。これにより、撮像装置１は、タッチ位置に撮像光軸上の被写体を配置することができる為、構図が単調になることを防ぐことができる。
【００７６】
また、例えば、トリミング範囲が設定された状態で画像データを取得することにより、主制御部２０は、撮像軸上の被写体がタッチ位置に配置された画像データを取得することができる。これにより、主制御部２０は、撮像軸上の被写体がタッチ位置に配置された画像データを静止画として記録媒体Ｍに記録することまたはスルー画として表示部１６により表示させることなどができる。このように、撮像装置１は、タッチ位置に撮像光軸上の被写体を配置することができる為、構図が単調になることを防ぐことができる。なお、上記の実施例では、説明を簡単化する為に、静止画を撮影する場合の処理について説明したが、この構成に限定されない。撮像装置１は、動画を撮像する場合であっても上記の有効撮像域のシフト及びトリミングを行うことができる。撮像装置１は、例えば被写体が動いている場合に動画を撮像することが想定される。このような場合、撮像装置１は、ユーザが照準器１９によって動いている被写体を追従してフレーミングする際に被写体をタッチ位置に配置することができる為、特に有用である。より具体的には、動画撮影で飛んでいく鳥を追い、且つ、構図を単調にしたくない場合、撮像装置１は、ユーザが被写体を照準器の指標に合わせる操作に集中するだけで、例えば、鳥の前方にスペースを設けた構図で静止画または動画を撮像することができる。この結果、撮像装置１は、ユーザに被写体を探し捕捉することに集中させて構図に自由度のある撮影を行わせることができる。
【００７７】
なお、上記の実施形態では、主制御部２０は、焦点距離を変えずにトリミング範囲を設定する構成として説明したが、この構成に限定されない。主制御部２０は、タッチ位置に応じて焦点距離を変更した上でトリミング範囲を設定する構成であってもよい。
【００７８】
図１０は、フレーミング制御部４９の動作の他の例について説明する為の説明図である。先述の図５に示されたように画像データが二次元空間上に配置されているとする。ここで、例えば表示パネル３１がタッチされた場合、フレーミング制御部４９は、タッチ位置信号に基づいて画像データ上のタッチ位置の座標（Ｘｔ，Ｙｔ）を特定する。フレーミング制御部４９は、タッチ位置の座標（Ｘｔ，Ｙｔ）に基づいて、画角が広くなる広角側に焦点距離を変更する。
【００７９】
例えば、フレーミング制御部４９は、上記のトリミングによる画角の縮小をキャンセルする為の焦点距離を算出する。具体的には、フレーミング制御部４９は、画像データのＸ軸方向の長さＸｓに対するトリミング範囲のＸ軸方向の長さＸｄの比率をＸ軸方向の縮小率Ｒｓｔｘとして算出し、画像データのＹ軸方向の長さＹｓに対するトリミング範囲のＹ軸方向の長さＹｄの比率をＹ軸方向の縮小率Ｒｓｔｙとして算出する。フレーミング制御部４９は、画角がＸ軸方向に１／Ｒｓｔｘ倍、またはＹ軸方向に１／Ｒｓｔｙ倍になる焦点距離を算出する。フレーミング制御部４９は、算出した焦点距離を画角制御部４８に入力することにより、レンズ１０の撮像レンズの焦点距離を変更させる。
【００８０】
さらに、フレーミング制御部４９は、上記の図５乃至図６の例と同様にトリミング範囲を設定することにより、焦点距離変更前の画像データにおける被写体の大きさと、焦点距離変更後のトリミング範囲に対する被写体の大きさとが同じサイズにすることができる。これにより、トリミングによってトリミング前に比べて被写体が大きく写ることを防ぐことができる。このような考え方を駆使すれば、様々なズーム位置で同様の設定を保持することが可能となる。特に動画撮影時には、画面の変化をつけるために画角を変えながら撮影する場合が多く、このような撮像範囲の切替を駆使した手法が効果を発揮する。
【００８１】
次に図８及び図１１を用いて一実施形態に係る撮像装置１の動作の他の例について詳細に説明する。なお図８の説明については上記してある為、ここでは説明を省略する。
【００８２】
主制御部２０は、図８のステップＳ１１で照準器１９が動作中であると判断した場合（ステップＳ１１、ＹＥＳ）、表示パネル３１に対するタッチ操作の有無を判断する（ステップＳ３１）。主制御部２０は、表示パネル３１に対するタッチ操作が無いと判断した場合（ステップＳ３１、ＮＯ）、図８のステップＳ１２の処理に移る。
【００８３】
ステップＳ２１で表示パネル３１に対するタッチ操作が有ると判断した場合（ステップＳ３１、ＹＥＳ）、主制御部２０は、タッチ位置信号に基づいてタッチ位置（Ｘｔ，Ｙｔ）を特定する（ステップＳ３２）。
【００８４】
主制御部２０は、タッチ位置が撮像面のシフト量の上限に応じたセンサシフト対応範囲内であるか否か判断する（ステップＳ３３）。タッチ位置がセンサシフト対応範囲内であると判断した場合（ステップＳ３３、ＹＥＳ）、主制御部２０は、タッチ位置と撮像光軸とが重なる為の撮像素子１２の撮像面のシフト量を算出する（ステップＳ３４）。主制御部２０は、算出したシフト量に応じて撮像素子１２の撮像面をシフトさせ（ステップＳ３５）、ステップＳ１２の処理に移る。
【００８５】
また、ステップＳ２３でタッチ位置がセンサシフト対応範囲外であると判断した場合（ステップＳ３３、ＮＯ）、主制御部２０は、トリミング範囲のサイズを算出する（ステップＳ３６）。即ち、主制御部２０は、タッチ位置に基づいて、トリミング範囲のＸ軸方向及びＹ軸方向の長さを算出する。
【００８６】
さらに、主制御部２０は、画像データに対するトリミング範囲の縮小比率を算出する（ステップＳ３７）。即ち、主制御部２０は、画像データのサイズとトリミング範囲のサイズとに基づいて、縮小比率Ｒｓｔｘ及びＲｓｔｙを算出する。
【００８７】
主制御部２０は、縮小比率に基づいて焦点距離を算出する（ステップＳ３８）。即ち、主制御部２０は、縮小比率Ｒｓｔｘと縮小比率Ｒｓｔｙとのいずれかに基づいて焦点距離を算出する。具体的には、主制御部２０は、タッチ位置が図７に示す第１の領域または第３の領域内である場合、画角が１／Ｒｓｔｘ倍になる焦点距離を算出する。また、主制御部２０は、タッチ位置が図７に示す第２の領域または第４の領域内である場合、画角が１／Ｒｓｔｙ倍になる焦点距離を算出する。
【００８８】
主制御部２０は、レンズ１０の撮像レンズの焦点距離をステップＳ３８で算出した焦点距離に変更することが可能であるか否かを判断する（ステップＳ３９）。即ち、主制御部２０は、算出した焦点距離がレンズ１０の撮像レンズの焦点距離の可変可能な範囲内であるか否か判断する。
【００８９】
焦点距離の変更が可能であると判断した場合（ステップＳ３９、ＹＥＳ）、主制御部２０は、レンズ１０の撮像レンズの焦点距離をステップＳ３８で算出した焦点距離に変更する（ステップＳ４０）。
【００９０】
主制御部２０は、トリミング比率に基づいてトリミング範囲のＸ軸方向及びＹ軸方向の長さを算出し、トリミング範囲内のタッチ位置比率に対応した点である被写体配置点に撮像光軸が重なるようにトリミング範囲を設定する（ステップＳ４１）。
【００９１】
主制御部２０は、撮像素子１２の撮像面上の画像を取得する範囲を設定したトリミング範囲に基づいてトリミングし（ステップＳ４２）、ステップＳ１２の処理に移る。
【００９２】
また、ステップＳ３７で、焦点距離の変更が不可能であると判断した場合（ステップＳ３７、ＮＯ）、主制御部２０は、警告表示を行う（ステップＳ４３）。例えば、主制御部２０は、トリミングによる構図変更が不可である旨の警告表示を行う（ステップＳ４３）。また、主制御部２０は、ステップＳ３７で、焦点距離の変更が不可能であると判断した場合に図９に示すように焦点距離の変更を行わずにトリミングによる構図変更を行う構成であってもよい。
【００９３】
このように、タッチ位置に応じて焦点距離を変更した上でトリミング範囲を設定することにより、主制御部２０は、焦点距離変更前の画像データにおける被写体の大きさと、焦点距離変更後のトリミング範囲に対する被写体の大きさとを同じサイズにすることができる。即ち、撮像装置１は、タッチ位置に撮像光軸上の被写体を配置することにより構図が単調になることを防ぎ、且つ、焦点距離を変更してトリミングすることによりトリミング前に比べて被写体が大きく写ることを防ぐことができる。
【００９４】
上記のように、撮像装置１は、撮像素子１２の撮像面をシフトさせることにより、画像データ内のタッチ位置に応じた位置に被写体を配置することができる。これにより、撮像装置１は、照準器１９の視野内に配置されたレティクルと被写体とを重ねることにより光学系の撮像光軸を被写体に合わせる場合であっても、構図が単調になることを防ぐことができる。
【００９５】
また、撮像装置１は、撮像素子１２の撮像面の画像を取得する領域をトリミングすることにより、画像データ内のタッチ位置に応じた位置に被写体を配置することができる。これにより、撮像装置１は、照準器１９の視野内に配置されたレティクルと被写体とを重ねることにより光学系の撮像光軸を被写体に合わせる場合であっても、構図が単調になることを防ぐことができる。
【００９６】
また、撮像装置１は、タッチ位置に応じて撮像レンズの焦点距離を変更し、且つ撮像素子１２の撮像面の画像を取得する領域をトリミングすることにより、被写体の映り込むサイズを変えずに画像データ内のタッチ位置に応じた位置に被写体を配置することができる。これにより、撮像装置１は、照準器１９の視野内に配置されたレティクルと被写体とを重ねることにより光学系の撮像光軸を被写体に合わせる場合であっても、構図が単調になることを防ぎ、且つトリミング前に比べて被写体が大きく写ることを防ぐことができる。
【００９７】
上記のような構成によると、より利便性の高い撮像装置、及び撮像装置の制御方法を提供することができる。
【００９８】
なお、上記の実施形態の実施形態では、主制御部２０は、タッチ位置が撮像面のシフト量の上限に応じたセンサシフト対応範囲内ではない場合にトリミングを行う構成であると説明したがこの構成に限定されない。例えば主制御部２０は、撮像面のシフトとトリミングとを同時に行う構成であってもよい。例えば、主制御部２０は、タッチ位置が撮像面のシフト量の上限に応じたセンサシフト対応範囲内ではない場合、タッチ位置に応じて撮像面をシフトさせ、さらにトリミング範囲を設定する。この構成によると、撮像面のシフトによってタッチ位置に撮像光軸を近づけることができる為、トリミングによるトリミング範囲をより大きくすることができる。
【００９９】
また、主制御部２０は、撮像面のシフトと、焦点距離の変更と、トリミングと、を同時に行う構成であってもよい。例えば、主制御部２０は、タッチ位置が撮像面のシフト量の上限に応じたセンサシフト対応範囲内ではない場合、タッチ位置に応じて撮像面をシフトさせ、タッチ位置と撮像面のシフト量とに応じて焦点距離を算出し、焦点距離を変更し、トリミング範囲を設定する。この構成によると、撮像面のシフトによってタッチ位置に撮像光軸を近づけることができる為、焦点距離の変動量を抑えることができる。
【０１００】
また、上記の実施形態では、主制御部２０は、トリミングを行う場合、撮像素子１２の撮像面の画像を取得する領域を制限すると説明したが、この構成に限定されない。主制御部２０は、撮像部の撮像面の全体を用いて取得した画像データをトリミング範囲に基づいて切り出す構成であってもよい。さらに、この場合、主制御部２０は、トリミング前の画像データとトリミング後の画像データとの両方を静止画として記録媒体Ｍに記録する構成であってもよい。
【０１０１】
なお、上記の実施形態では、撮像装置１がレンズ１０を備える構成について説明したが、この構成に限定されない。撮像装置１は、レンズ１０を装着可能なマウントをレンズ１０の代わりに備える構成であってもよい。
【０１０２】
なお、上記の実施形態では、撮像装置１が照準器１９を備える構成について説明したが、この構成に限定されない。撮像装置１は、照準器１９を装着可能な例えばアクセサリーシューなどの装着部を照準器１９の代わりに備える構成であってもよい。また、単に撮影に限らず、観察装置や検査装置など、様々な光学機器に応用でき、産業上も民生のみならず産業分野や医療分野への応用が可能であることは言うまでもない。例えば、車載などでもバックミラーとリアモニタの連携など、異なる観察方法で生じる位置の差のキャンセルなどに活用が可能である。
【０１０３】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１０４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１０５】
１…撮像装置、１０…レンズ、１１…シャッタユニット、１２…撮像素子、１３…信号処理部、１４…画像処理部、１５…操作部、１５ａ…タッチセンサ、１６…表示部、１８…加速度センサ、１９…照準器、２０…主制御部、３１…表示パネル、３２…電子ビューファインダー、３３…アイセンサ、４１…操作判定部、４２…撮像制御部、４３…記録制御部、４４…表示制御部、４５…照準器制御部、４６…センサシフト部、４７…トリミング部、４８…画角制御部、４９…フレーミング制御部。
【図１】
2016225799.tif 000003
【図２】
2016225799.tif 000004
【図３】
2016225799.tif 000005
【図４】
2016225799.tif 000006
【図５】
2016225799.tif 000007
【図６】
2016225799.tif 000008
【図７】
2016225799.tif 000009
【図８】
2016225799.tif 000010
【図９】
2016225799.tif 000011
【図１０】
2016225799.tif 000012
【図１１】
2016225799.tif 000013